(57)【要約】【課題】カートンを恰も卵を割る動作で簡単に割る。【解決手段】このカートンＣでは、特に第２の開封機能を構成する４側面板１１−１４間に連続して形成されるミシン目２が、４側面板のうちの１側面板１３のミシン目２３にあっては１側面板１３に中間部を略円弧状にその両端側を略直線状にして形成され、他の３側面板１４、１１、１２のミシン目２４、２１、２２にあってはこれら３側面板１４、１１、１２に略波形に形成されて、１側面板１３の凸側の縁部２３１を指で少し押しつつ、カートンＣをミシン目２に沿って底蓋側と天蓋側に割って分割し開封する。【選択図】図１
2018177279.tif 000002
【特許請求の範囲】
【請求項１】
カートンの正面、背面及び左右両側面をなす４側面板と、前記カートンの底面をなす底蓋と、前記カートンの天面をなす天蓋とにより構成され、前記底蓋、前記天蓋は共に、前記４側面板のうち相互に対向する２側面板の各端縁部に折れ線を介して連接される一対のフラップ、及び前記２側面板間の一方の側面板の端縁部に折れ線を介して連接される先端に差し込み片を有する蓋を有し、前記カートンの底面開口、天面開口がそれぞれ前記底蓋、前記天蓋により開閉可能に閉じられ、また、前記４側面板を前記底蓋側と前記天蓋側に分割して開封可能に、前記４側面板にこれら４側面板の連接方向に沿って一周してミシン目が付される２ウェイ開封式カートンにおいて、
前記ミシン目は、
前記４側面板のうち１側面板のミシン目が、前記１側面板を前記底蓋側と前記天蓋側に切り離し可能に、前記１側面板に、中間部を前記底蓋側又は前記天蓋側に凸の略円弧状に、その両端側を水平方向に略直線状にして形成され、
他の３側面板のミシン目が、前記他の３側面板をそれぞれ前記底蓋側と前記天蓋側に切り離し可能に、前記３側面板に、水平方向に向けて略波形に形成され、
前記１側面板の前記円弧状のミシン目の凸側の縁部を指で少し押しながら、前記４側面板を前記ミシン目に沿って前記底蓋側と前記天蓋側に割って分割し開封する、
ことを特徴とする２ウェイ開封式カートン。
【請求項２】
各フラップを連接された各側面板の前記各フラップ側の各端部に、前記各端部の端縁部両側から略Ｙ字形に延びる折れ線及び切り込みからなる折り曲げガイドを有する請求項１に記載の２ウェイ開封式カートン。
【請求項３】
各フラップを連接された各側面板の前記各フラップ及び前記各側面板に、前記各フラップの幅方向中央に前記各側面板に向けて直線状に延びる切り込みと前記各側面板の幅方向中央で前記各フラップの前記切り込みの延長上に直線状に延びる折れ線とからなる折り曲げガイドを有する請求項１に記載の２ウェイ開封式カートン。
【発明の詳細な説明】
【技術分野】
【０００１】
本発明は、医薬品などの物品を収納するのに使用する２ウェイ開封式カートンに関する。
【背景技術】
【０００２】
この種の２ウェイ開封式カートンが例えば特許文献１により提案されている。
この文献１のカートンは、一枚のブランクシートから一体的に打ち抜かれて形成される一枚の紙基材から組み立てられ、カートンの正面、背面及び左右両側面をなす４側面板と、カートンの底面をなす底蓋と、カートンの天面をなす天蓋とにより構成される。
このカートンの場合、底蓋、天蓋が共に、カートンの４側面板のうち相互に対向する２側面板の端縁部から延びる一対のフラップ、及びこの２側面板の間の一方の側面板の端縁部から延びる先端に差し込み片を有する蓋からなり、医薬品はカートンの天面開口から入れられて収納され、医薬品をカートン内に収納した後、カートンの天面開口が天蓋により、すなわち、各フラップ、蓋が順次閉じられて、カートンの正面板に対して蓋の差し込み片が糊付けされることにより封止される。このようにして天蓋を開封することにより、カートンの中から物品を取り出すことができ、天蓋はまた蓋として使用可能である。
また、このカートンの場合、４側面板の上下方向中間部にこれら４側面板の連接方向に沿って一周してミシン目が形成される。この場合、ミシン目は、側面板を貫通して切断された切り込み部と、切り残されたつなぎ部が交互に付される。また、このミシン目は、側面板ごとに分断され、各側面板の連接方向を略水平にしたときに、各ミシン目は右上がりに僅かに傾斜し、各側面板同士の間に位置する折罫線では、左側の側面板のミシン目の先端部が、右側の側面板のミシン目の先端部よりも上に位置し、この一対のミシン目の先端部の間は切り残された連結部となる。このカートンは、カートンをミシン目の上下でネジの螺合を解除するときのようにねじることにより、開封することができる。
このようにこのカートンは２ウェイ開封式となっている。
【先行技術文献】
【特許文献】
【０００３】
【特許文献１】特開２００９−９１０３８号公報
【発明の概要】
【発明が解決しようとする課題】
【０００４】
しかしながら、上記従来（特許文献１）の２ウェイ開封式カートンでは、各側面板に各ミシン目が右上がりに直線的に形成され、カートンをミシン目の上下でネジの螺合を解除するときのようにねじって開封するねじり開封式になっているため、次のような問題がある。
（１）このカートンの場合、カートンを手でねじる動作が必要であり、角形のカートンの場合、例えば円形のものに比べて、カートンをねじる動作に手が馴染みにくく、このため、カートンをねじりにくく、簡単に開封できるとは言い難い。
（２）このカートンの場合、カートンを手でねじって２つに分割した後、これが使用済みになったときに、これをそのままごみ箱に入れてしまうのでは、ごみ箱の中で嵩張り好ましない。そこで、この２つに分割されたカートンを折り畳んだり扁平に潰したりして小さくすることが望ましいところ、この場合、天蓋や底蓋が２枚のフラップと1枚の蓋により組み立てられたままでこの天蓋、底蓋の部分が強くなっているので、この部分を解体しない限り、２つに分割されたカートンを折り畳んだり扁平に潰したりすることは容易でなく、また、天蓋、底蓋の部分を解体しようとすれば、その分だけ、手間がかかることになる。
【０００５】
本発明は、このような従来の問題を解決するもので、この種の２ウェイ開封式カートンにおいて、カートンを恰も卵を割る動作で簡単に割ることができ、カートンの開封を容易にすること、カートンを手で割って２つに分割した後、これが使用済みになったときは、このカートンを簡単に折り畳み又は扁平に潰すことができ、使用済みのカートンを嵩張らずに廃棄できること、を目的とする。
【課題を解決するための手段】
【０００６】
上記目的を達成するために、本発明の２ウェイ開封式カートンは、
カートンの正面、背面及び左右両側面をなす４側面板と、前記カートンの底面をなす底蓋と、前記カートンの天面をなす天蓋とにより構成され、前記底蓋、前記天蓋は共に、前記４側面板のうち相互に対向する２側面板の各端縁部に折れ線を介して連接される一対のフラップ、及び前記２側面板間の一方の側面板の端縁部に折れ線を介して連接される先端に差し込み片を有する蓋を有し、前記カートンの底面開口、天面開口がそれぞれ前記底蓋、前記天蓋により開閉可能に閉じられ、また、前記４側面板を前記底蓋側と前記天蓋側に分割して開封可能に、前記４側面板にこれら４側面板の連接方向に沿って一周してミシン目が付される２ウェイ開封式カートンにおいて、
前記ミシン目は、
前記４側面板のうち１側面板のミシン目が、前記１側面板を前記底蓋側と前記天蓋側に切り離し可能に、前記１側面板に、中間部を前記底蓋側又は前記天蓋側に凸の略円弧状に、その両端側を水平方向に略直線状にして形成され、
他の３側面板のミシン目が、前記他の３側面板をそれぞれ前記底蓋側と前記天蓋側に切り離し可能に、前記３側面板に、水平方向に向けて略波形に形成され、
前記１側面板の前記円弧状のミシン目の凸側の縁部を指で少し押しながら、前記４側面板を前記ミシン目に沿って前記底蓋側と前記天蓋側に割って分割し開封する、
ことを要旨とする。
この場合、このカートンは各部に次のような構成を備えることが好ましい。
（１）各フラップを連接された各側面板の前記各フラップ側の各端部に、前記各端部の端縁部両側から略Ｙ字形に延びる折れ線及び切り込みからなる折り曲げガイドを有する。
（２）各フラップを連接された各側面板の前記各フラップ及び前記各側面板に、前記各フラップの幅方向中央に前記各側面板に向けて直線状に延びる切り込みと前記各側面板の幅方向中央で前記各フラップの前記切り込みの延長上に直線状に延びる折れ線とからなる折り曲げガイドを有する。
【発明の効果】
【０００７】
本発明の２ウェイ開封式カートンによれば、上記のとおり、４側面板のうち１側面板のミシン目が１側面板に中間部を略円弧状にその両端側を略直線状にして形成され、他の３側面板のミシン目が３側面板に略波形に形成されて、１側面板の円弧状のミシン目の凸側の縁部を指で少し押しながら、４側面板をミシン目に沿って底蓋側と天蓋側に割って分割し開封するようにしたので、カートンを４側面板のところで恰も卵を割る動作で簡単に割ることができ、カートンの開封を容易にすることができ、また、各フラップを連接された各側面板に折り曲げガイドを設け、又は各フラップを連接された各側面板の各フラップ及び各側面板に折り曲げガイドを設けることで、カートンを手で割って２つに分割した後、これが使用済みになったときに、このカートンを各折り曲げガイドに沿って簡単に折り畳み又は扁平に潰すことができ、使用済みのカートンを嵩張らずに廃棄することができる、という本発明独自の格別な効果を奏する。
【図面の簡単な説明】
【０００８】
【図１】本発明の一実施の形態における２ウェイ開封式カートンの外部構成を示す図（（ａ）はカートンの正面図（ｂ）はカートンの（左）側面図）
【図２】同カートンを展開した状態を示す図（展開図）
【図３】同カートンの４側面板間に第２の開封機能として形成されるミシン目の変更例を示す図（カートンの展開図）
【図４】同カートンの４側面板間に第２の開封機能として形成されるミシン目の変更例を示す図（カートンの展開図）
【図５】同カートンの４側面板間に第２の開封機能として形成されるミシン目の変更例を示す図（カートンの展開図）
【図６】同カートンの第２の開封機能により同カートンを２つに割る過程を示す図（カートンの正面側から見た斜視図）
【図７】同カートンを第２の開封機能により同カートンを２つに割って分割し開封した状態を示す図（カートンの正面側から見た斜視図）
【図８】同カートンの２つに割った一方を折り畳み用の折り曲げガイドにより折り畳んだ状態を示す図（カートンの正面側から見た斜視図）
【図９】同カートンの２つに割った一方を折り畳み用の折り曲げガイドにより折り畳んだ状態を示す図（カートンの正面側から見た斜視図）
【図１０】同カートンの２つに割った一方を圧潰用の折り曲げガイドにより扁平状に潰した状態を示す図（カートンの正面側から見た斜視図）
【発明を実施するための形態】
【０００９】
次に、この発明を実施するための形態について図を用いて説明する。
図１、図２に２ウェイ開封式カートンを示している。図１（ａ）は２ウェイ開封式カートンの正面図、図１（ｂ）は２ウェイ開封式カートンの（左）側面図であり、図２は２ウェイ開封式カートンの展開図である。
【００１０】
図１、図２に示すように、２ウェイ開封式カートンＣ（以下、単にカートンＣという場合がある。）は、ボール紙、クラフト紙のような比較的厚さがあり直立性のある紙材により形成され、カートンＣの正面、背面及び左右両側面をなす４側面板１１−１４と、カートンＣの底面をなす底蓋１５と、カートンＣの天面をなす天蓋１６とにより構成され、底蓋１５、天蓋１６は共に、４側面板１１−１４のうち相互に対向する２側面板１２、１４の各端縁部に折れ線Ｌ９，Ｌ１１、Ｌ１０，Ｌ１２を介して連接される一対のフラップ１５３，１５４、１６３，１６４、及び２側面板１２、１４間の一方の側面板１１の端縁部に折れ線Ｌ５、Ｌ７を介して連接される先端に差し込み片１５２、１６２を有する蓋１５１、１６１を有し、カートンＣの底面開口、天面開口がそれぞれ底蓋１５、天蓋１６により開閉可能に閉じられ、また、４側面板１１−１４を底蓋側と天蓋側に分割して開封可能に、４側面板１１−１４にこれら４側面板１１−１４の連接方向に沿って一周してミシン目２が付される。
【００１１】
このカートンＣの場合、全体が、縦に長い直方体状に構成され、背面板１１、正面板１３はそれぞれ、同じ大きさの縦長の長方形で、左右の側面板１２、１４はそれぞれ、背面板１１、正面板１３よりも幅が少し狭い同じ大きさの縦長の長方形になっている。なお、この場合、背面板１１の右側面板１２とは反対側の側縁部に接続片１１１が形成され、この接続片１１１が左側面板１４の裏面で正面側縁部に糊を介して接続される。
【００１２】
底蓋１５は、４側面板１１−１４のうちの３側面板１２、１４、１１の各端縁部、この場合、左右各側面板１２、１４の下端縁部から折れ線Ｌ９、Ｌ１１を介して連接され、カートンＣの底面開口を部分的（底面開口全体の２分の１程度）に被覆可能な先端が略Ｖ字形をなす略台形状（全体として略Ｍ字形の外形）の左右一対のフラップ１５３、１５４と、背面板１１の下端縁部から折れ線Ｌ５を介して連接され、カートンＣの底面開口の全部を被覆可能な略矩形状の蓋１５１及びこの蓋１５１の先端から突出される差し込み片１５２とからなり、カートンＣの底面開口が各フラップ１５３、１５４、蓋１５１により順次閉じられ、正面板１３の内面底面側に対して蓋１５１の差し込み片１５２が糊付けされることで封止される。また、この底蓋１５の差し込み片１５２が糊付けされる正面板１１の底面側の端部には開封用の切り取り線Ｃ１が形成される。この場合、開封用の切り取り線Ｃ１は、正面板１１の底面側の端部に底面側の端縁部から天面側に向けて略台形の溝形にミシン目が付けられて形成される。
【００１３】
天蓋１６も同様に、４側面板１１−１４のうちの３側面板１２、１４、１１の各端縁部、この場合、左右各側面板１２、１４の上端縁部から折れ線Ｌ１０、Ｌ１２を介して連接され、カートンＣの天面開口を部分的（天面開口全体の２分の１程度）を被覆可能な先端が略Ｖ字形をなす略台形状（全体として略Ｍ字形の外形）の左右一対のフラップ１６３、１６４と、背面板１３の上端縁部から折れ線Ｌ７を介して連接され、カートンＣの天面開口の全部を被覆可能な略矩形状の蓋１６１及びこの蓋１６１の先端から突出される差し込み片１６２とからなり、カートンＣの天面開口が各フラップ１６３、１６４、蓋１６１により順次閉じられ、正面板１３の内面天面側に対して蓋１６１の差し込み片１６２が糊付けされることで封止される。また、天蓋１６の差し込み片１６２が糊付けされる正面板１３の天面側の端部には開封用の切り取り線Ｃ２が形成される。この場合、開封用の切り取り線Ｃ２は、正面板１３の天面側の端部に天面側の端縁部から底面側に向けて略台形の溝形にミシン目が付けられて形成される。
【００１４】
このようにしてカートンＣは天面開口が各フラップ１６３、１６４を介して蓋１６１により閉じられ、正面板１３の内面天面側の端部に対して蓋１６１先端の差し込み片１６２が糊付けされることで封止され、正面板１３の天面側の端部に開封用の切り取り線Ｃ２が形成されて、天蓋１６が切り取り線Ｃ２から切り離されることによって開封される第１の開封機能を有する。なお、既述のとおり、底蓋１５は天蓋１６と同様の構成になっているので、底蓋１５もまた、天蓋１６と同様に、第１の開封機能を有する。通常、天蓋１６側の開封機能が利用されるが、天蓋１６側の開封機能を使用するか底蓋１５側の開封機能を使用するかはユーザーの選択による。
【００１５】
また、このカートンＣの場合、ミシン目２は、４側面板１１−１４のうち１側面板、この場合、正面板１３のミシン目２３が、正面板１３を底蓋側と天蓋側に切り離し可能に、正面板１３に、中間部を底蓋側又は天蓋側に凸の、この場合、底蓋側に凸の略円弧状に、その両端側を水平方向に略直線状にして形成され、他の３側面板、この場合、右側面板１４、背面板１１、左側面板１２のミシン目２４、２１、２２が、これらの３側面板１４、１１、１２をそれぞれ底蓋側と天蓋側に切り離し可能に、右側面板１４、背面板１１、左側面板１２に、水平方向に向けて略波形に形成される。
この場合、ミシン目２４、２１、２２は各側面板１４、１１、１２の長手方向略中央に水平方向に向けて略波形形状に形成される。ここで、ミシン目２４、２１、２２の波形形状は、各側面板１４、１１、１２を底蓋側と天蓋側に、例えば電気工学の分野で知られる所謂三角波形状にして切り離し可能に、所謂三角波形状（なお、鋸歯形状ということもある。）に、この場合、斜め刃により、三角波形状の一方の斜めの部分をミシン目の切り込み部２０１として形成され、三角波形状の他方の斜めの部分又は垂直方向の部分をミシン目のつなぎ部２０２として形成される。なお、ここでミシン目２の波形形状は、左側面板１２の波形形状と右側面板１４の波形形状が対称的で、左側面板１２の波形形状と背面板１１の波形形状が同一になっている。またここで、ミシン目２の位置は各側面板１１−１４の長手方向略中央としているが、各側面板１１−１４の長手方向略中央よりも天蓋側又は底蓋側に偏らせてもよい。
また、この場合、ミシン目２の波形形状を三角波形状としたが、この波形形状は種々に変更可能であり、他の例を図３−図５に例示している。
図３では、ミシン目２の波形形状を、３側面板１４、１１、１２を底蓋側と天蓋側に、例えば電気工学の分野で知られる所謂正弦波形状にして切り離し可能に、波刃により、所謂正弦波形状に、ミシン目２の切り込み部２０１とつなぎ部２０２を交互に入れて形成している。
図４では、ミシン目２の波形形状を、３側面板１４、１１、１２を底蓋側と天蓋側に、例えば電気工学の分野で知られる所謂矩形波形状にして切り離し可能に、所謂矩形波形状に、この場合、ダブルミシンにより、矩形波形状の水平方向の部分をミシン目の切り込み部２０１とし垂直方向の部分をつなぎ部２０２として、形成している。
図５では、ミシン目２の波形形状を、３側面板１４、１１、１２を底蓋側と天蓋側に、例えば電気工学の分野で知られる所謂三角波に似た形状にして切り離し可能に、所謂三角波に似た形状に、この場合、ジッパーにより、ミシン目２の一つ一つの切り込み部２０１を水平方向に直線状に形成するとともにその一端に連続して略円弧状又は略鉤形の立ち上がりを形成し、各切り込み部２０１の端部間につなぎ部２０２を形成している。
【００１６】
このようにしてカートンＣは４側面板１１−１４間にミシン目２が形成され、１側面板１３の円弧状のミシン目２１の凸側の縁部２３１を指で少し押しながら、４側面板１１−１４をミシン目２に沿って底蓋側と天蓋側に割って分割し開封する第２の開封機能を有する。
【００１７】
また、このカートンＣには、図３又は図２に示すように、各フラップ１５３，１６３、１５４，１６４を連接された各側面板１２、１４又は各フラップ１５３，１６３、１５４，１６４を連接された各側面板１２、１４の各フラップ１５３，１６３、１５４，１６４及び各側面板１２、１４に、カートンＣを２つに割った後の各部を折り畳み可能に又は扁平に圧潰可能に折り畳み用又は圧潰用の折り曲げガイド３１、３２が設けられる。
図３に示すように、折り畳み用の折り曲げガイド３１は、各フラップ１５３，１６３、１５４，１６４を連接された各側面板１２、１４の各フラップ側の各端部に、各端部の端縁部両側から略Ｙ字形に延びる折れ線３１１及び切り込み３１２からなる。この場合、折り畳み用の折り曲げガイド３１は、左右の各側面板１２、１４の上下各端部に、上下各端縁部の両側から折れ線３１１及び切り込み３１２が交互に略Ｖ字形に付けられ、これに続いてこのＶ字形の折れ線３１１の中央からミシン目からなる短い切り込み３１２が直線状に切られて形成される。
図２に示すように、圧潰用の折り曲げガイド３２は、各フラップ１５３，１６３、１５４，１６４を連接された各側面板１２、１４の各フラップ１５３，１６３、１５４，１６４及び各側面板１２、１４に、各フラップ１５３，１６３、１５４，１６４の幅方向中央に各側面板１２、１４に向けて直線状に延びる切り込み３２１と各側面板１２、１４の幅方向中央で各フラップ１５３，１６３、１５４，１６４の切り込み３２１の延長上に直線状に延びる折れ線３２２とからなる。この場合、圧潰用の折り曲げガイド３２は、上下の各フラップ１５３，１６３、１５４，１６４の幅方向中央に左右の各側面板１２、１４に向けて直線状に延びる切り込み３２１が切られ、左右の各側面板１２、１４の幅方向中央でミシン目２の上下の各部に、各フラップ１５３，１６３、１５４，１６４の切り込み３２１の延長上に直線状に延びる折れ線３２２が付けられて形成される。
【００１８】
なお、このカートンＣは、図２に示すように、全体が一枚のブランクシートから一体的に打ち抜かれて形成される一枚の紙基材Ｐからなる。
この紙基材Ｐは、展開した状態において、組み立て時にカートンＣの背面板１１をなす背面板部Ｐ１１と、背面板部Ｐ１１の左側部に折れ線Ｌ４を介して連続して設けられ、組み立て時にカートンＣの左側面板１４の裏面に固定される接続片部Ｐ１１１と、背面板部１１の右側部に折れ線Ｌ１を介して連続して設けられ、組み立て時にカートンＣの右側面板１２をなす右側面板部Ｐ１２と、右側面板部Ｐ１２の右側部に折れ線Ｌ２を介して連続して設けられ、組み立て時にカートンＣの正面板１３をなす正面板部Ｐ１３と、正面板部Ｐ１３の右側部に折れ線Ｌ３を介して連続して設けられ、組み立て時にカートンＣの左側面板１４をなす左側面板部Ｐ１４と、背面板部Ｐ１１の下側部に折れ線Ｌ５を介して連続して設けられ、組み立て時に底蓋１５の蓋１５１をなす下端に折れ線Ｌ６を介して差し込み片部Ｐ１５２を有する蓋部Ｐ１５１と、背面板部Ｐ１１の上側部に折れ線Ｌ７を介して連続して設けられ、組み立て時に天蓋１６の蓋１６１をなす上端に折れ線Ｌ８を介して差し込み片部Ｐ１６２を有する蓋部Ｐ１６１と、右側面板部Ｐ１２の下側部に折れ線Ｌ９を介して連続して設けられ、組み立て時に底蓋１５の右のフラップ１５３をなす右のフラップ部Ｐ１５３と、右側面板部Ｐ１２の上側部に折れ線Ｌ１０を介して連続して設けられ、組み立て時に天蓋１６の右のフラップ１６３をなす右のフラップ部Ｐ１６３と、左側面板部Ｐ１４の下側部に折れ線Ｌ１１を介して連続して設けられ、組み立て時に底蓋１５の左のフラップ１５４をなす左のフラップ部Ｐ１５４と、左側面板部Ｐ１４の上側部に折れ線Ｌ１２を介して連続して設けられ、組み立て時に天蓋１６の左のフラップ１６４をなす左のフラップ部Ｐ１６４と、を備える。この紙基材Ｐの各部の大きさ、形状や、ミシン目２、開封用の切り取り線Ｃ１、Ｃ２の位置、形状は既述のとおりである。
【００１９】
紙基材Ｐはかかる構成からなり、この紙基材Ｐから、背面板部Ｐ１１の左側部に設けられた接続片部Ｐ１１１が左側面板部Ｐ１４の裏面前側縁部に糊を介して結合され、４側面板部Ｐ１１−Ｐ１４の底面開口が左右の各フラップ部Ｐ１５３、Ｐ１５４を介して蓋部Ｐ１５１により閉じられ、正面板部Ｐ１３の内面底面側の端部に蓋部Ｐ１５１下端の差し込み片部Ｐ１５２が糊付けされることで封止され、天面を開口されたカートンＣが組み立てられる。
【００２０】
かくして、このカートンＣは天面の開口より物品が収容され、物品の収容後、天面の開口が天蓋１６により封じられる。すなわち、カートンＣの天面の開口が左右の各フラップ部Ｐ１６３、Ｐ１６４を介して蓋部Ｐ１６１により閉じられ、正面板部Ｐ１３の内面天面側の端部に蓋部Ｐ１６１上端の差し込み片部Ｐ１６２が糊付けされることで封止される（図１参照）。
【００２１】
そして、カートンＣ内の物品を使用するため、カートンＣから物品を取り出す際に、カートンＣは第１の開封機能又は第２の開封機能により開封される。
カートンＣを第１の開封機能により開封する場合、図１を参照すると、カートンＣの正面板１３上部の開封用の切り取り線Ｃ２内を指で押し破り、そのまま天蓋１６の蓋１６１を引き上げることによって、カートンＣの天面の開口が開き、開封される。これにより、天面の開口から物品を取り出すことができる。なお、このカートンＣの開封後、天蓋１６を用いて再封可能である。この場合、カートンＣの天面の開口を左右の各フラップ１６３、１６４、蓋１６１で閉じ、蓋１６１先端の差し込み片１６２を正面板１３の内側に沿って差し込み係止する。
カートンＣを第２の開封機能により開封する場合は、図１を参照すると、正面板１３の略中央の円弧状のミシン目２３の凸側の縁部２３１を例えば親指で押えながら、左右の手でカートンＣのミシン目２を境に天蓋側と底蓋側を持ち、円弧状のミシン目２１の凸側の縁部２３１を少し押しながら、卵を割るような動作でカートンＣの４側面板１１−１４をミシン目２に沿って底蓋側と天蓋側に割ると、図６、図７に示すように、カートンＣの正面板１３はミシン目２３に沿って円弧形状を含む直線状に切り離され、右側面板１４、背面板１１、左側面板１２はミシン目２４、２１、２２に沿って波形（この場合、三角波形状）に切り離されて、カートンＣは底蓋側と天蓋側に分割され開封される。これにより、２つに割れたカートンＣから物品を取り出すことができる。
そして、このカートンＣでは、上下の各フラップ１５３，１５４、１６３，１６４を連接された左右の各側面板１２、１４又は上下の各フラップ１５３，１５４、１６３，１６４を連接された左右の各側面板１２、１４の各フラップ１５３，１５４、１６３，１６４及び左右の各側面板１２、１４に折り畳み用又は圧潰用の折り曲げガイド３１又は３２が設けられているので、カートンＣを２つに割って、これが使用済みになったときは、図８又は図９、図１０に示すように、このカートンＣを各折り曲げガイド３１、３２に沿って簡単に折り畳み又は扁平に潰すことができる。
折り畳み用の折り曲げガイド３１の場合、図３に示すように、折り曲げガイド３１が左右の各側面板１２、１４の上下各端部に、上下各端縁部の両側から折れ線３１１及び切り込み３１２が交互に略Ｖ字形に付けられ、これに続いてこのＶ字形の折れ線３１１の中央からミシン目からなる短い切り込み３１２が直線状に切られているので、左右の各側面板１２、１４をＹ字形の折り曲げガイド３１に沿って内側に押し込むと、図８に示すように、正面板１３と背面板１１とを合せて扁平状に折り畳むことができ、さらに天蓋１６又は底蓋１５を正面板１３側又は背面板１１側に折り返して折り畳むことができる。また、図９に示すように、左右の各側面板１２、１４を折り曲げガイド３１に沿って外側に突出させてもよく、このようにしても、正面板１３と背面板１１とを合せて扁平状に折り畳むことができる。
また、圧潰用の折り曲げガイド３２の場合、図２に示すように、折り曲げガイド３２が上下の各フラップ１５３，１５４、１６３，１６４の幅方向中央に左右の各側面板１２、１４に向けて直線状に延びる切り込み３２１が切られ、左右の各側面板１２、１４の幅方向中央でミシン目２の上下の各部に、各フラップ１５３，１５４、１６３，１６４の切り込み３２１の延長上に直線状に延びる折れ線３２２が付けられているので、正面板１３から背面板１１に向けて又はその反対に各板１３、１１を全体的に押し潰す（又は叩く）と、図１０に示すように、左右の各側面板１２、１４が折れ線３２２を突出端として略扁平状になって外側に突き出され、また、上下の各フラップ１５３，１５４、１６３，１６４が切り込み３２１ラインを突出端として略扁平状になって天蓋１６、底蓋１５の内側から外側に飛び出し、全体が略扁平状に潰される。
これにより、２つに割れた使用済みのカートンＣを扁平状に小さくして廃棄することができる。
【００２２】
以上説明したように、この２ウェイ開封式カートンＣによれば、特に第２の開封機能を構成する４側面板１１−１４間に連続して形成されるミシン目２が、４側面板１１−１４のうちの１側面板１３（この場合、正面板１３）のミシン目２３にあっては１側面板１３に中間部を略円弧状にその両端側を略直線状にして形成され、他の３側面板１４、１１、１２（この場合、右側面板１４、背面板１１、左側面板１２）のミシン目２４、２１、２２にあってはこれら３側面板１４、１１、１２に略波形に形成されて、１側面板１３の円弧状のミシン目２３の凸側の縁部２３１を指で少し押しながら、４側面板１１−１４をミシン目２に沿って底蓋側と天蓋側に割って分割し開封するようにしたので、カートンＣの４側面板１１−１４を恰も卵を割る動作で簡単に割ることができ、カートンＣの開封を容易にすることができる。
また、このカートンＣでは、各フラップ１５３，１６３、１５４，１６４を連接された各側面板１２、１４に折り曲げガイド３１を設け、又は各フラップ１５３，１６３、１５４，１６４を連接された各側面板１２、１４の各フラップ１５３，１６３、１５４，１６４及び各側面板１２、１４に折り曲げガイド３２を設けたことで、カートンＣを手で割って２つに分割した後、これが使用済みになったときは、このカートンＣを各折り曲げガイド３１又は３２に沿って簡単に折り畳み又は扁平に潰すことができ、使用済みのカートンＣを嵩張らずに廃棄することができる。
【００２３】
なお、この実施の形態では、カートンＣは、底蓋１５、天蓋１６が共に、４側面板１１−１４のうち相互に対向する２側面板１２、１４（左右各側面板１２、１４）の各端縁部に折れ線Ｌ９，Ｌ１１、Ｌ１０，Ｌ１２を介して連接される一対のフラップ１５３，１５４、１６３，１６４、及び２側面板１２、１４間の一方の側面板１１（背面板１１）の端縁部に折れ線Ｌ５、Ｌ７を介して連接される先端に差し込み片１５２、１６２を有する蓋１５１、１６１からなるものとして例示したが、底蓋、天蓋が共に、箱本体の４側面板の端縁部から延びる一対のフラップ、内蓋、及び外蓋からなり、一般に４枚フラップカートンと称せられるものとしてもよく、この場合でも、上記実施の形態と同様に、第１、第２の開封機能を備えることができ、上記実施の形態と同様の作用効果を奏することができる。
【符号の説明】
【００２４】
Ｃ  ２ウェイ開封式カートン
１１ 背面板
１１１  接続片
１２ 右側面板
１３ 正面板
１４ 左側面板
１５  底蓋
１５１  蓋
１５２  差し込み片
１５３  右のフラップ
１５４  左のフラップ
１６  天蓋
１６１  蓋
１６２  差し込み片
１６３  右のフラップ
１６４  左のフラップ
Ｐ  紙基材
Ｐ１１ 背面板部
Ｐ１１１  接続片部
Ｐ１２  右側面板部
Ｐ１３  正面板部
Ｐ１４  左側面板部
Ｐ１５１  蓋部
Ｐ１５２  差し込み片部
Ｐ１５３  右のフラップ部
Ｐ１５４  左のフラップ部
Ｐ１６１  蓋部
Ｐ１６２  差し込み片部
Ｐ１６３  右のフラップ部
Ｐ１６４  左のフラップ部
Ｃ１  開封用の切り取り線
Ｃ２  開封用の切り取り線
Ｌ１−Ｌ１２  折れ線
２（２１、２２、２３、２４）  ミシン目
２０１  ミシン目の切り込み部
２０２  ミシン目のつなぎ部
２３１  凸側の縁部
３１  折り畳み用の折り曲げガイド
３１１  折れ線
３１２  切り込み
３２  折り畳み用の折り曲げガイド
３２１  切り込み
３２２  折れ線
【図１】
2018177279.tif 000003
【図２】
2018177279.tif 000004
【図３】
2018177279.tif 000005
【図４】
2018177279.tif 000006
【図５】
2018177279.tif 000007
【図６】
2018177279.tif 000008
【図７】
2018177279.tif 000009
【図８】
2018177279.tif 000010
【図９】
2018177279.tif 000011
【図１０】
2018177279.tif 000012